(57)【要約】【課題】  ガスの圧縮容量の可変幅を大きくすることにより、条件による最適の運転を可能にし、且つ容量変換を簡単にしたスクロール圧縮機の階段型容量可変装置を提供する。【解決手段】  階段型容量可変装置は、ラップ４２０の外側端部Ｒ１から内側Ｒ２にわたって所定の高さの段差を有するように形成された第１体積減少用段差突起４３０、及び前記ラップ４２０の外側端部に位置する前記第１体積減少用段差突起から所定の長さだけ延長形成される第２体積減少用段差突起が備えられた旋回スクロール４００と、前記旋回スクロールの第１及び第２体積減少用段差突起に対応する領域に該当するラップ３２０の領域に段差を有する短いラップ３２１が備えられて、前記旋回スクロールと係合される固定スクロール３００と、前記旋回スクロールの第２体積減少用段差突起と前記固定スクロールの段差を有する短いラップとにより形成される通路Ｃを開閉する開閉手段とを含む。【選択図】      図２
2006214430.tif 000002
【特許請求の範囲】
【請求項１】
ラップの外側端部から内側にわたって所定の高さの段差を有するように形成された第１体積減少用段差突起、及び前記ラップの外側端部に位置する前記第１体積減少用段差突起から所定の長さだけ延長形成される第２体積減少用段差突起が備えられた旋回スクロールと、
前記旋回スクロールの第１及び第２体積減少用段差突起に対応する領域に該当するラップの領域に段差を有する短いラップが備えられて、前記旋回スクロールと係合される固定スクロールと、
前記旋回スクロールの第２体積減少用段差突起と前記固定スクロールの段差を有する短いラップとにより形成される通路を開閉する開閉手段と、
を含むことを特徴とするスクロール圧縮機の階段型容量可変装置。
【請求項２】
前記第２体積減少用段差突起の長さ方向の端面は、平面であることを特徴とする請求項１に記載のスクロール圧縮機の階段型容量可変装置。
【請求項３】
前記固定スクロールの側面に、ガスが吸入される吸入孔が形成され、前記吸入孔は、四角形状に形成されることを特徴とする請求項１に記載のスクロール圧縮機の階段型容量可変装置。
【請求項４】
前記開閉手段は、
前記固定スクロールに形成された装着部と、
前記装着部にスライディング自在に結合されて前記通路を開閉するスライディングブロック組立体と、
前記スライディングブロック組立体を弾性支持するバネと、
前記スライディングブロック組立体を選択的に引っ張る引張手段と、
を含むことを特徴とする請求項１に記載のスクロール圧縮機の階段型容量可変装置。
【請求項５】
前記引張手段は、電磁石であることを特徴とする請求項４に記載のスクロール圧縮機の階段型容量可変装置。
【請求項６】
前記電磁石は、前記固定スクロールの外面に装着されることを特徴とする請求項５に記載のスクロール圧縮機の階段型容量可変装置。
【請求項７】
前記装着部は、
前記固定スクロールに所定の形状に形成されるスライディング溝と、
前記スライディング溝と連通して形成され、前記バネが挿入されるバネ挿入孔と、
前記固定スクロールに形成されるガイド孔と、
を含むことを特徴とする請求項４に記載のスクロール圧縮機の階段型容量可変装置。
【請求項８】
前記スライディングブロック組立体は、
前記通路を開閉するスライダーと、
前記スライダーと結合されて前記引張手段と連結されるプランジャと、
前記スライダーに結合されるガイドピンと、
を含むことを特徴とする請求項４に記載のスクロール圧縮機の階段型容量可変装置。
【請求項９】
前記スライダーは、所定の厚さを有する四角形状に形成されることを特徴とする請求項８に記載のスクロール圧縮機の階段型容量可変装置。
【請求項１０】
前記ガイドピンは、前記スライダーの広い面と垂直になるように結合されることを特徴とする請求項８に記載のスクロール圧縮機の階段型容量可変装置。
【発明の詳細な説明】
【技術分野】
【０００１】
本発明は、スクロール圧縮機に関し、詳しくは、圧縮容量の可変幅を大きくすることにより、条件による最適の運転を可能にするだけでなく、容量変換を簡単にすることができるスクロール圧縮機の階段型容量可変装置に関する。
【背景技術】
【０００２】
一般に、圧縮機は、電気エネルギーを運動エネルギーに変換させ、その運動エネルギーにより冷媒ガスを圧縮する。圧縮機は、冷凍サイクルシステムを構成する核心要素であり、冷媒を圧縮する圧縮メカニズムによって、回転式圧縮機、スクロール圧縮機、往復動式圧縮機など、その種類が多様である。このような圧縮機を含む冷凍サイクルシステムは、冷蔵庫、エアコン、ショーケースなどに適用されている。
【０００３】
一般に、スクロール圧縮機は、駆動モータの駆動力が旋回スクロールに伝達され、該旋回スクロールが固定スクロールと係合されて旋回運動を行いながら、持続的にガスを吸入、圧縮して吐出させる。前記旋回スクロール及び固定スクロールには、インボリュート形状のラップがそれぞれ備えられ、前記固定スクロールのラップと前記旋回スクロールのラップとにより複数の圧縮ポケットが形成され、前記旋回スクロールの旋回運動により、これらの圧縮ポケットがガスの吐出される吐出孔側に移動しながらその体積が次第に減少しながらガスを圧縮する。
【０００４】
通常、前記複数の圧縮ポケットは、吐出ポートを中心に互いに対称をなすように一対形成され、その一対をなす二つの圧縮ポケットは、同一体積を有するように形成される。且つ、前記一対の圧縮ポケットが吸入側からガスが吸入されて吐出孔側に移動すると、該一対の圧縮ポケットに次いで、他の一対の圧縮ポケットが吸入側に形成され、このような過程が繰り返して行われる。
【０００５】
一方、前記圧縮ポケットにより圧縮される圧縮容量を大きくするための構造として、一対の圧縮ポケットの何れか一つの圧縮ポケットの体積を相対的に大きく構成した非対称のスクロール圧縮機が開発されている。
【０００６】
スクロール圧縮機において、駆動モータから発生する回転力が旋回スクロールに伝達される構造は、前記駆動モータに結合された回転軸の偏心部が、前記旋回スクロールの円板の下部に備えられたボス部に挿入されることにより、その回転軸の偏心部を通して旋回スクロールのボス部に伝達されるようになっている。しかしながら、このような構造においては、固定スクロールのラップと旋回スクロールのラップとにより形成された複数の圧縮ポケットの体積が大きく変化する場合、ガスが圧縮される各圧縮ポケットの位置と、駆動モータの回転力が伝達されるボス部及び偏心部の位置とが所定の距離をおいており、旋回スクロールの旋回運動が不安定になる。
【０００７】
また、スクロール圧縮機の圧縮容量を増加させるための構造として、図１０及び図１１に示すように、旋回スクロール１０の円板１１に所定の高さを有するラップ１２が形成され、前記円板１１の中央に位置するように、前記ラップ１２の内側端部に所定の高さを有する体積減少用段差突起１３が形成される。前記体積減少用段差突起１３は、前記ラップ１２の内側端部から３６０°に該当する部分までの内部に位置するように、所定の高さで形成される。また、前記円板１１の下面に挿入溝１４が形成され、該挿入溝１４は、前記体積減少用段差突起１３の内側まで形成される。且つ、前記挿入溝１４には、前記回転軸２０の偏心部２１が挿入される。前記体積減少用段差突起１３の断面形状は、前記回転軸２０の偏心部２１が挿入されることができるように形成される。
【０００８】
このような構造においては、前記回転軸２０の偏心部２１が前記旋回スクロール１０の体積減少用段差突起１３の内側まで位置するので、前記旋回スクロール１０と係合される固定スクロール３０のラップ３１と前記旋回スクロールのラップ１２とにより形成される圧縮ポケットＰの位置と、回転力が伝達される前記回転軸２０の偏心部２１の位置とが重なり、圧縮比の大きい条件で前記旋回スクロール１０の旋回運動が安定的に行われる。且つ、前記旋回スクロール１０のラップ１２の中央部分に体積減少用段差突起１３が形成されるので、その吐出側の体積が大きく減少して吐出されるガスの圧縮比が相対的に大きくなる。このような技術は、特開２０００−３２９０７９に開示されている。
【０００９】
一方、圧縮機を備えた冷凍サイクルシステムが適用されたエアコンの場合、春夏秋冬という季節の変化によってエアコンの消耗電力を減少させるために、圧縮機の容量を変化させることが要求される。
【００１０】
圧縮機の容量を変化させるメカニズムとしては、圧縮機を構成する駆動モータの回転数を制御する方式、ガスをバイパスまたは漏洩させる方式、及びこれらを混合した方式がある。
【００１１】
前記駆動モータの回転数を制御する方式は、容量可変幅が広く、性能が優れているという利点があるが、製作単価が高価であるという欠点がある。且つ、低い回転数では、給油問題を解決するための追加的な機構を必要とし、高い回転数では、摩擦部位の信頼性を確保する必要がある。
【００１２】
また、前記ガスをバイパスさせる方式は、製作単価を下げることができるという利点があるが、容量可変幅が狭いだけでなく、相対的に性能が低いという欠点がある。
【発明の開示】
【発明が解決しようとする課題】
【００１３】
本発明は、このような従来技術の問題点を解決するためになされたもので、ガスを圧縮する圧縮容量の可変幅を大きくすることにより、条件による最適の運転を可能にするだけでなく、さらに容量変換を簡単にすることができるスクロール圧縮機の階段型容量可変装置を提供することを目的とする。 
【００１４】
本発明の他の目的は、製作単価を下げることができるスクロール圧縮機の階段型容量可変装置を提供することにある。
【課題を解決するための手段】
【００１５】
このような目的を達成するために、本発明によるスクロール圧縮機の階段型容量可変装置は、ラップの外側端部から内側にわたって所定の高さの段差を有するように形成された第１体積減少用段差突起、及び前記ラップの外側端部に位置する前記第１体積減少用段差突起から所定の長さだけ延長形成される第２体積減少用段差突起が備えられた旋回スクロールと、前記旋回スクロールの第１及び第２体積減少用段差突起に対応する領域に該当するラップの領域に段差を有する短いラップが備えられて、前記旋回スクロールと係合される固定スクロールと、前記旋回スクロールの第２体積減少用段差突起と前記固定スクロールの段差を有する短いラップとにより形成される通路を開閉する開閉手段とを含むことを特徴とする。
【発明の効果】
【００１６】
本発明によるスクロール圧縮機の階段型容量可変装置においては、スクロール圧縮機の１００％運転時には圧縮比を大きくし、可変容量運転時には圧縮比を小さくすることにより、スクロール圧縮機の全体的な容量可変幅が大きくなり、消耗電力を大幅に減らすことができるという効果がある。
【００１７】
また、機械的な構造により容量を変化させることにより、変速モータを使用して容量を変化させる構造より相対的に製作単価が安価になり、価格競争力を高めることができるという効果がある。
【発明を実施するための最良の形態】
【００１８】
以下、添付の図面を参照して、本発明によるスクロール圧縮機の階段型容量可変装置の好ましい実施形態を説明する。
【００１９】
図１及び図２の（ａ）と（ｂ）は、本発明による階段型容量可変装置を備えたスクロール圧縮機の圧縮機構部を示す正断面図及び分解斜視図である。
【００２０】
図１及び図２の（ａ）と（ｂ）に示すように、本発明によるスクロール圧縮機の圧縮機構部は次のようである。
【００２１】
所定の形状を有する密閉容器１００の内部に装着されるメインフレーム２００と所定の間隔をおいて、前記密閉容器１００の内部に固定スクロール３００が装着され、前記固定スクロール３００と旋回運動自在に係合されるように、前記固定スクロール３００とメインフレーム２００との間に旋回スクロール４００が位置する。また、駆動モータと結合された回転軸５００が前記メインフレーム２００に貫通挿入されて、前記旋回スクロール４００に結合される。
【００２２】
前記旋回スクロール４００は、図３に示すように、所定の厚さ及び面積を有する円板部４１０の上面に、所定の厚さ及び高さを有するインボリュート曲線形状の旋回ラップ４２０が形成され、該旋回ラップ４２０の外側端部Ｒ１から内側端部Ｒ２までの全領域にわたって、所定の高さを有する第１体積減少用段差突起４３０が形成され、該第１体積減少用段差突起４３０に続いて前記旋回ラップ４２０外に、所定の高さを有する第２体積減少用段差突起４４０が延長形成され、前記円板部４１０の下面には、所定の長さを有するボス部４５０が形成され、前記ボス部４５０の内部には、所定の深さを有する挿入溝４６０が形成される。
【００２３】
前記第１及び第２体積減少用段差突起４３０、４４０は、前記円板部４１０の上面から所定の高さだけ延長して突成されることが好ましく、前記第１及び第２体積減少用段差突起４３０の高さｈは、前記旋回ラップ４２０の高さＨより低い。前記第１体積減少用段差突起４３０は、前記旋回ラップ４２０が位置する全領域にわたって形成される。また、前記第２体積減少用段差突起４４０は、前記旋回ラップ４２０の外側端部Ｒ１から延長形成され、その端面Ｆは平面をなす。また、前記第２体積減少用段差突起４４０の端面Ｆは、曲面をなすように形成することもできる。図１及び図２に示すように、前記挿入溝４６０は、前記第１体積減少用段差突起４３０の内部まで形成され、前記挿入溝４６０には、前記回転軸５００の一側に形成された偏心部５１０が挿入される。
【００２４】
一方、前記第１及び第２体積減少用段差突起４３０、４４０は、別の部品により形成されて、前記旋回ラップ４２０の内部に結合されることもできる。
【００２５】
前記固定スクロール３００は、図４及び図５に示すように、所定の形状を有する体部３１０の底面に、所定の厚さ及び高さを有するインボリュート曲線形状の固定ラップ３２０が形成され、前記体部３１０の中央には、吐出孔３３０が形成される。前記固定ラップ３２０は、前記旋回スクロール４００の円板部４１０の上面と接面する前記体部３１０の接触面３４０に所定の深さを有する螺旋状溝３５０が形成されることにより突成される。
【００２６】
また、前記固定ラップ３２０は、前記旋回スクロール４００の第１及び第２体積減少用段差突起４３０、４４０と対面する領域に該当する部分が他の部分と段差を有するように形成された短いラップ３２１と、一般的な高さを有する一般ラップ３２２とからなる。前記短いラップ３２１と一般ラップ３２２とにより形成される段差の高さは、前記旋回ラップ４２０の高さから、前記第１体積減少用段差突起４３０または第２体積減少用段差突起４４０の高さを引いた高さと同様である。
【００２７】
また、前記固定スクロール３００の体部３１０には装着部が備えられ、前記装着部は、前記螺旋状溝３５０の端部に続いて所定の形状に形成されるスライディング溝３６０と、前記スライディング溝３６０と連通して形成されるバネ挿入孔３７０（図６に図示）と、前記スライディング溝３６０の側壁に貫通形成されたガイド孔３８０とを含んでなる。前記スライディング溝３６０の両側壁は平面に形成される。前記ガイド孔３８０は、所定の幅及び長さを有するように形成される。
【００２８】
且つ、前記固定スクロール３００の体部３１０の側面に、固定ラップ３２０の内側にガスを吸入するための吸入孔３９０が形成される。前記吸入孔３９０は、螺旋状溝３５０の内部と連通して形成され、四角形状に形成することが好ましい。前記吸入孔３９０の近傍に前記ガイド孔３８０が位置する。
【００２９】
また、前記スライディング溝３６０及びガイド孔３８０には、所定形状のスライディングブロック組立体６１０がスライディング自在に挿入され、前記バネ挿入孔３７０には、前記スライディングブロック組立体６１０を弾性支持するバネ６２０が挿入され、前記固定スクロール３００の体部３１０には、前記スライディングブロック組立体６１０を選択的に引っ張る引張手段６３０が備えられる。
【００３０】
前記スライディングブロック組立体６１０は、所定の厚さを有する四角形状に形成されて前記スライディング溝３６０に挿入されるスライダー６１１と、前記スライダー６１１と結合されるプランジャ６１２と、前記スライダー６１１に結合されて前記ガイド孔３８０に挿入されるガイドピン６１３とを含む。前記プランジャ６１２は、所定の長さを有するように形成される。前記ガイドピン６１３は、前記スライダー６１１の広い面と垂直になるように該スライダー６１１に結合される。
【００３１】
前記バネ６２０は、圧縮コイルバネであることが好ましい。
前記引張手段６３０は、電磁石であり、前記固定スクロール３００の体部３１０の外面に装着される。前記プランジャ６１２は、前記電磁石内に動き自在に位置する。
【００３２】
前記旋回スクロール４００は、図６及び図７に示すように、その旋回ラップ４２０が前記固定スクロール３００の固定ラップ３２０と係合されるように、前記メインフレーム２００と固定スクロール３００との間に挿入される。このとき、前記固定スクロール３００の短いラップ３２１の端面は、前記旋回スクロール４００の第１及び第２体積減少用段差突起４３０、４４０の面に接触し、前記固定スクロール３００の接触面３４０は、前記旋回スクロール４００の円板部４１０に接触する。前記旋回スクロール４００の第２体積減少用段差突起４４０の端面Ｆと、前記固定スクロール３００の固定ラップ３２０の段差面ｆとは、互いに所定の間隔をおいて対面するように位置し、その間隔が通路Ｃをなす。前記固定ラップ３２０の段差面ｆは、前記固定スクロール３００の短いラップ３２１と一般ラップ３２２との境界をなす面である。また、前記スライダー６１１は、前記バネ６２０により弾性支持されて、前記スライダー６１１の一側が前記第２体積減少用段差突起４４０の端面Ｆと接触した状態となり、このとき、前記電磁石は作動しない状態である。前記通路Ｃは、前記スライダー６１１が前記第２体積減少用段差突起４４０の端面Ｆと接触することによって遮断された状態となる。このような状態で、前記スライダー６１１は、前記吸入孔３９０の一部を遮断する。
【００３３】
前記装着部、スライディングブロック組立体６１０、バネ６２０及び引張手段６３０により、前記通路Ｃを開閉する開閉手段が構成される。
【００３４】
前記旋回スクロール４００とメインフレーム２００との間に、図１に示すように、前記旋回スクロール４００の自転を防止するオルダムリング７００が結合され、前記固定スクロール３００の上面に、該固定スクロール３００の吐出孔３３０を開閉する吐出弁組立体８００が装着される。
【００３５】
前記密閉容器１００は、その一側にガスが吸入される吸入管１２０が結合され、その他側にガスが吐出される吐出管１１０が結合される。
【００３６】
前記固定ラップ３２０と前記旋回ラップ４２０とにより形成される一対の圧縮ポケットは、体積が互いに異なる非対称であり得るか、または、体積が互いに同一の対称であり得る。
未説明符号１６０は高低圧分離板である。
【００３７】
以下、本発明によるスクロール圧縮機の階段型容量可変装置の作用効果を説明する。
まず、本発明によるスクロール圧縮機の圧縮機構部の作動は、前述したように、電動機構部の回転力が回転軸５００に伝達され、該回転軸５００の偏心部５１０を通して旋回スクロール４００に伝達されて、該旋回スクロール４００が固定スクロール３００と係合されて前記回転軸５００の中心を基準に旋回運動されるようになっている。
【００３８】
このような過程で、スクロール圧縮機を１００％容量で運転する場合、図８（ａ）、（ｂ）、（ｃ）、（ｄ）に示すように、前記引張手段６３０である電磁石に電源を供給しない状態で運転するようになる。前記電磁石が作動しなくなることによって、前記スライダー６１１が、前記バネ６２０により弾性支持されて前記旋回スクロール４００の第２体積減少用段差突起４４０の端面Ｆに接触して、該第２体積減少用段差突起４４０の端面Ｆと前記固定ラップ３２０の段差面ｆとにより形成された通路Ｃを遮断するようになる。
【００３９】
このような状態で、前記旋回スクロール４００が旋回運動を行うと、前記旋回スクロール４００の旋回ラップ４２０が前記固定スクロール３００の固定ラップ３２０と係合されて旋回運動を行うことにより、前記旋回ラップ４２０の最外側の外壁と、該旋回ラップ４２０の外壁に対面する前記固定スクロール３００の内壁とにより、第１外側圧縮ポケットＰ１が形成されると共に、該第１外側圧縮ポケットＰ１の内部に吸入孔３９０を通してガスが流入する。
【００４０】
そして、前記旋回スクロール４００がさらに旋回運動を行うと、前記第１外側圧縮ポケットＰ１が吐出孔３３０側に移動しながら体積が減少すると共に、前記旋回ラップ４２０の最外側の内壁と前記固定ラップ３２０の最外側の外壁とにより、第１内側圧縮ポケットＰ２が形成される。前記第１内側圧縮ポケットＰ２の内部に、吸入孔３９０を通して流入したガスが充填される。このとき、前記第１外側圧縮ポケットＰ１は、前記旋回スクロール４００の第１及び第２体積減少用段差突起４３０、４４０領域に位置するようになって、体積の変化が大きくなる。且つ、前記第１内側圧縮ポケットＰ２は、前記旋回スクロール４００の第１及び第２体積減少用段差突起４３０、４４０領域に位置するようになる。
【００４１】
そして、前記旋回スクロール４００がさらに旋回運動を行うと、前記第１外側圧縮ポケットＰ１及び第１内側圧縮ポケットＰ２が前記固定スクロール３００の中央部分に移動しながら体積が変化し、これらの第１外側圧縮ポケットＰ１及び第１内側圧縮ポケットＰ２で圧縮されたガスは、吐出孔３３０を通して密閉容器１００内に吐出される。このような過程が繰り返されながらガスが圧縮され、前記密閉容器１００内に吐出された高温高圧状態のガスは、吐出管１１０を通して外部に流出する。
【００４２】
前記旋回スクロール４００が前記固定スクロール３００と係合されて旋回運動を行うことによって、前記固定スクロール３００に挿入されたスライダー６１１が、前記バネ６２０により弾性支持された状態で、前記固定スクロール３００のスライディング溝３６０で直線往復運動を行いながら、前記第２の体積減少用段差突起４４０の端面Ｆに接触する。
【００４３】
前記吸入が完了した第１外側圧縮ポケットＰ１が吐出孔３３０側に移動する過程で、前記旋回スクロール４００の第１及び第２体積減少用段差突起４３０、４４０を経ながら大きな体積の減少が発生するので、圧縮比が非常に大きくなる。
【００４４】
一方、前記スクロール圧縮機を可変容量で運転する場合、図９の（ａ）、（ｂ）、（ｃ）及び（ｄ）に示すように、前記引張手段６３０である電磁石に電源を印加して電磁石を作動させると、該電磁石により、前記スライディングブロック組立体６１０が引っ張られる。前記電磁石が前記スライディングブロック組立体６１０を引っ張ることによって、該スライディングブロック組立体６１０のスライダー６１１が前記電磁石側に移動しながら、前記第２の体積減少用段差突起４４０の端面Ｆと前記固定ラップ３２０の段差面ｆとにより形成された通路Ｃを開放するようになる。
【００４５】
このような状態で、前記旋回スクロール４００が旋回運動を行うと、前記旋回スクロール４００の旋回ラップ４２０が前記固定スクロール３００の固定ラップ３２０と係合されて旋回運動を行うことにより、前記旋回ラップ４２０の最外側の外壁と、該旋回ラップ４２０の外壁に対面する前記固定スクロール３００の内壁とにより、第１外側圧縮ポケットＰ１が形成される。前記第１外側圧縮ポケットＰ１の内部に、吸入孔３９０を通して流入したガスが充填される。しかしながら、前記スライダー６１１が電磁石側に移動して、前記第２の体積減少用段差突起４４０の端面Ｆと前記固定ラップ３２０の段差面ｆとにより形成された通路Ｃが開放された状態であるので、前記第１外側圧縮ポケットＰ１の内部が、前記吸入孔３９０と同じ圧力状態となる。
【００４６】
そして、前記旋回スクロール４００がさらに旋回運動を行うと、前記第１外側圧縮ポケットＰ１が吐出孔３３０側に移動しながら体積が減少すると共に、前記旋回ラップ４２０の最外側の内壁と前記固定ラップ３２０の最外側の外壁とにより、第１内側圧縮ポケットＰ２が形成され、該第１内側圧縮ポケットＰ２の内部に、吸入孔３９０を通して流入したガスが充填される。
【００４７】
さらに、前記第１内側圧縮ポケットＰ２は、前記旋回スクロール４００の第１及び第２体積減少用段差突起４３０、４４０の一部分に位置するようになる。
【００４８】
そして、前記旋回スクロール４００がさらに旋回運動を行うと、前記第１外側圧縮ポケットＰ１が前記吐出孔３３０側に移動しながら通路Ｃを過ぎた以後から圧縮が進行し、且つ、前記第１内側圧縮ポケットＰ２が前記固定スクロール３００の中央部分に移動しながら体積が変化して圧縮が進行する。このように、前記第１外側圧縮ポケットＰ１及び第１内側圧縮ポケットＰ２の体積が減少しながら圧縮されたガスは、前記吐出孔３３０を通して前記密閉容器１００の内部に吐出される。
【００４９】
このように、スクロール圧縮機を１００％容量で運転する場合、旋回スクロール４００の旋回ラップ４２０の内部全体にわたって第１体積減少用段差突起４３０が形成されるので、吸入側に位置するときの圧縮ポケットの体積と、該圧縮ポケットが移動して第１体積減少用段差突起４３０に位置するときの圧縮ポケットの体積との差が大きくなり、且つ、持続的に前記第１及び第２体積減少用段差突起４３０、４４０の領域を経ながら吐出孔３３０に吐出されるので、圧縮比が非常に大きくなる。
【００５０】
また、スクロール圧縮機を可変容量で運転する場合、吸入側に位置するときは、圧縮ポケットが吸入孔３９０側と連通して圧縮が進行せず、該圧縮ポケットが移動して第１及び第２体積減少用段差突起４３０、４４０からは圧縮が進行するので、圧縮比が非常に小さくなる。
【００５１】
なお、前記引張手段６３０である電磁石の作動により、１００％運転と可変容量運転との転換がなされるので、運転転換作動が簡単になる。
一方、本発明の他の実施形態として、前記第１及び第２体積減少用段差突起４３０、４４０を固定スクロール３００に形成し、旋回ラップ４２０に、前記第１及び第２体積減少用段差突起４３０、４４０に相応するように短いラップ３２１を形成することもできる。
【図面の簡単な説明】
【００５２】
【図１】本発明による階段型容量可変装置を備えたスクロール圧縮機の圧縮機構部を示す正断面図である。
【図２】図２の（ａ）と（ｂ）は図１のスクロール圧縮機の圧縮機構部を示す分解斜視図である。
【図３】図１のスクロール圧縮機の圧縮機構部を構成する旋回スクロールの斜視図である。
【図４】図１のスクロール圧縮機の圧縮機構部を構成する固定スクロールの斜視図である。
【図５】図１のスクロール圧縮機の圧縮機構部を構成する固定スクロールの正面図である。
【図６】本発明によるスクロール圧縮機の階段型容量可変装置を部分断面して示す斜視図である。
【図７】本発明によるスクロール圧縮機の階段型容量可変装置を部分断面して示す斜視図である。
【図８】図８の（ａ）、（ｂ）、（ｃ）及び（ｄ）は、本発明によるスクロール圧縮機の階段型容量可変装置の作動状態を順次示す平面図である。
【図９】図９の（ａ）、（ｂ）、（ｃ）及び（ｄ）は、本発明によるスクロール圧縮機の階段型容量可変装置の作動状態を順次示す平面図である。
【図１０】従来のスクロール圧縮機の圧縮機構部を示す断面図である。
【図１１】図１０のスクロール圧縮機の圧縮機構部を構成する旋回スクロールの平面図である。
【符号の説明】
【００５３】
３００    固定スクロール
３２０    固定ラップ
３２１    短いラップ
３６０    スライディング溝
３７０    バネ挿入孔
３８０    ガイド孔
３９０    吐出孔
４００    旋回スクロール
４２０    旋回ラップ
４３０    第１体積減少用段差突起
４４０    第２体積減少用段差突起
６１０    スライディングブロック組立体
６１１    スライダー
６１２    プランジャ
６１３    ガイドピン
６２０    バネ
６３０    引張手段
Ｃ    通路
【図１】
2006214430.tif 000003
【図２】
2006214430.tif 000004
【図３】
2006214430.tif 000005
【図４】
2006214430.tif 000006
【図５】
2006214430.tif 000007
【図６】
2006214430.tif 000008
【図７】
2006214430.tif 000009
【図８】
2006214430.tif 000010
【図９】
2006214430.tif 000011
【図１０】
2006214430.tif 000012
【図１１】
2006214430.tif 000013